(57)【要約】【課題】再生時に字幕の文字の大きさや文字配置を容易に変えることができると同時に記憶装置の容量を最も効率的に使うことができるデジタル放送受信装置を提供する。【解決手段】映像字幕記憶部１２３は、字幕データと圧縮された画像データを別々に記憶する。履歴制御部１３１は、全体制御部１４から履歴の表示要求があった場合、映像字幕記憶部１２３に記憶される字幕データ、および圧縮画像を取得し、画像復号部１３２に送る。画像復号部１３２は、履歴制御部１３１から送られる字幕データ、および圧縮画像のうち、圧縮画像を復号し、復号した映像データと字幕データを画面合成部９に送る。画面合成部９がこれらの映像データと字幕データを合成し、ＬＣＤ１０に表示させる。【選択図】図１
2008053991.tif 000002
【特許請求の範囲】
【請求項１】
映像データと字幕データが多重圧縮された放送波から、映像データと字幕データを分離するデータ分離部と、
前記映像データをデコードする映像デコーダと、
前記字幕データをデコードする字幕デコーダと、
前記映像デコーダによりデコードした前記映像データと、前記字幕デコーダによりデコードした前記字幕データと、をそれぞれ記録する映像字幕データ記憶部と、
前記映像字幕データ記憶部に記憶した前記映像データと前記字幕データを合成した画像を生成する画面合成部と、
前記画面合成部により生成した画像を出力する表示部と、
を備えることを特徴とするデジタル放送受信装置。
【請求項２】
請求項１記載のデジタル放送受信装置であって、
前記映像字幕データ記憶部は、前記映像データに含まれる第１の時刻情報と前記字幕データに含まれる第２の時刻情報とを参照して、同一時刻と判定される前記映像データと前記字幕データとを対応付けて、それぞれ記録し、
前記画面合成部は、前記映像字幕データ記憶部に記憶した前記映像データと前記字幕データのうち、対応付けられた前記映像データと前記字幕データを合成した画像を生成する、
ことを特徴とするデジタル放送受信装置。
【請求項３】
請求項１または２記載のデジタル放送受信装置であって、
前記映像字幕データ記憶部は、前記字幕データに含まれる第２の時刻情報により特定される時点を少なくとも含む期間内に、前記映像データに含まれる第１の時刻情報により特定される時点がある場合、前記映像デコーダによりデコードした前記映像データと、前記字幕デコーダによりデコードした前記字幕データと、をそれぞれ記録する、ことを特徴とするデジタル放送受信装置。
【請求項４】
請求項１乃至３のいずれか１項に記載のデジタル放送受信装置であって、
前記映像字幕データ記憶部は、前記字幕データに文字情報が含まれていない場合、前記映像デコーダによりデコードした前記映像データのみを記録する、ことを特徴とするデジタル放送受信装置。
【請求項５】
請求項１乃至４のいずれか１項に記載のデジタル放送受信装置であって、
時間を計測するタイマを有し、
前記タイマは、現在時刻と前記字幕データに含まれる第２の時刻情報により特定される時点とが一致したときに時間計測を開始し、
前記映像字幕データ記憶部は、前記タイマによる時間計測が一定時間を越えた時点で、前記映像デコーダによりデコードした前記映像データと、前記字幕デコーダによりデコードした前記字幕データと、をそれぞれ記録する、
ことを特徴とするデジタル放送受信装置。
【請求項６】
請求項１乃至４のいずれか１項に記載のデジタル放送受信装置であって、
時間を計測するタイマを有し、
前記タイマは、前記字幕データを受信した時点から時間計測を開始し、
前記映像字幕データ記憶部は、前記タイマによる時間計測が一定時間を越えた時点で、前記映像デコーダによりデコードした前記映像データと、前記字幕デコーダによりデコードした前記字幕データと、をそれぞれ記録する、
ことを特徴とするデジタル放送受信装置。
【請求項７】
請求項１乃至６のいずれか１項記載のデジタル放送受信装置であって、
データをデータ圧縮するデータ圧縮部を備え、
前記データ圧縮部は、前記映像デコーダによりデコードした前記映像データを少なくともデータ圧縮し、
前記映像字幕データ記憶部は、前記データ圧縮部によりデータ圧縮した前記映像データと、前記データ圧縮部によりデータ圧縮したまたは前記字幕デコーダによりデコードした前記字幕データと、をそれぞれ記録する、
ことを特徴とするデジタル放送受信装置。
【請求項８】
映像データと字幕データが多重圧縮された放送波から、映像データと字幕データを分離するステップと、
前記映像データおよび前記字幕データをデコードするステップと、
デコードした前記映像データとデコードした前記字幕データとをそれぞれ記録するステップと、
記憶した前記映像データと前記字幕データを合成した画像を生成するステップと、
生成した画像を出力するステップと、
を有することを特徴とするデジタル放送受信方法。
【発明の詳細な説明】
【技術分野】
【０００１】
本発明は、映像データと字幕データを多重化して送信されるデジタル放送を受信するデジタル放送受信装置に関するものである。
【背景技術】
【０００２】
デジタル放送では、映像、音声、字幕などのデータが多重化された放送波が送出される。これらのそれぞれのデータはＰＥＳ（Ｐａｃｋｅｔｉｚｅｄ  Ｅｌｅｍｅｎｔａｒｙ  Ｓｔｒｅａｍ）パケットというデータ構成で送られる。ＰＥＳパケットには、映像や字幕が符号化されたデータや、そのデータの表示時刻を表す表示時刻情報などが配置される。
【０００３】
映像の圧縮方式として、ＢＳやＣＳ、地上デジタル放送ではＭＰＥＧ２が、地上デジタル放送の移動体向けの放送であるワンセグではＨ．２６４が使用されている。ＭＰＥＧ２ではＩピクチャ、Ｈ．２６４ではＩＤＲピクチャと呼ばれる１画像内で符号化されたデータを基準とし、続く画像では前画像との差分を符号化する。このように、差分を符号化することで、符号化に必要なデータ量を削減している。
【０００４】
映像と同時に表示される文字としては、映像データの一部として画像中に表示される文字と、映像データとは異なる信号によって伝送される文字データがある。ここで言う字幕は、後者の文字データ（以下、字幕データと称する場合もある）のことを指す。このような字幕の字幕データは字幕本文と字幕管理データからなる。ワンセグでは、字幕本文に実際に表示される文字等が符号化されている。また、字幕管理データは、文字データがどんな言語か、言語の異なる文字データが何種類送信されているのか、などの制御データであり、言語種別、および言語数などの情報が符号化されており、実際に表示される文字等は符号化されていない。また、字幕の表示形式として、縦画面の受信機の場合１２文字×４行、横画面の受信機の場合１６文字×３行が推奨されているが、字幕の表示位置は指定されるものではなく、予め受信機毎に設定されている表示位置に依存している。
【０００５】
従来の映像と字幕が同時に表示されるデジタル放送受信装置の例として、特開２００２−３４４８７１号公報（特許文献１）に開示された字幕放送記録装置及び記録方法がある。この特開２００２−３４４８７１号公報に開示された字幕放送記録装置及び記録方法が、字幕が送出されている放送において、映像と字幕が表示されている部分のみを記録し、その部分のみを後で再生する。以下、特許文献１に開示された従来のデジタル放送受信装置について図８を用いて説明する。図８は、従来のデジタル放送受信装置の構成図である。
【０００６】
図８において、アンテナを介して受信したデジタル放送信号がチューナー復調部１０２に復調され、復調された多重デジタル信号が多重信号分離部１０３に映像信号と字幕信号に分離される。分離された映像信号が映像復号部１０４に元の映像信号に復号されると同時に、字幕情報解析部１０５が分離された字幕信号から映像と字幕の表示同期を取るのに必要な字幕表示時刻及び字幕文体を解析する。タイマ１０７が字幕制御部１０６に現在時刻を入力し、映像復号部１０４で復号された映像信号と字幕情報解析部１０５で解析された字幕文がＯＳＤ処理部１０８に合成され、出力端子１０９に出力される。また、記録部１１０がＯＳＤ処理部１０８から出力された映像を記録、あるいは記録した映像を出力端子１０９に対し出力する。システム制御部１１１が記録部１１０に対しては記録した映像の出力を指示する。
【特許文献１】特開２００２−３４４８７１号公報
【発明の開示】
【発明が解決しようとする課題】
【０００７】
しかしながら、従来のデジタル放送受信装置においては、ＯＳＤ処理部１０８が映像信号と字幕文を合成するとき、合成画像中に字幕が画像として埋め込まれている。デジタル放送受信装置には、縦画面と横画面とを切り替え可能なものがあり、縦画面で記録した合成画像を横画面で再生する場合があるが、例えば、合成画像中に字幕が１２文字×４行で埋め込まれているとき、再生時は横画面にもかかわらず字幕が１２文字×４行で出力されてしまい、字幕の文字が画面の幅方向に延びた状態で表示されてしまう。すなわち、画像の一部として字幕が埋め込まれると、その画像中の字幕の表示領域のみの表示形式を変えることができず、画像全体を変える必要が出てくる。また、画像全体を拡大縮小して字幕の表示形式を変えようとすると、必ずしも見易いものにならないという問題があった。図９は、従来のデジタル放送受信装置による字幕ありのデジタル放送の表示領域のサイズを変えて表示する表示例を示す。図９（ａ）は、変更前の表示例、図９（ｂ）は、変更後の表示例である。図９に示すように、画像サイズを変更してしまうと、字幕の文字の形状もまた、それにともなって変更されてしまい、視聴者がその文字を識別することが困難になる可能性がある。図９であれば、図９（ａ）の字幕の各文字の形状が適正なものであったとしても、図９（ｂ）のように上下方向から押しつぶされたような形状に各文字が見える可能性がある。
【０００８】
本発明は、上記事情に鑑みてなされたもので、再生時に字幕の文字の大きさや文字配置を容易に変えることができるデジタル放送受信装置を提供することを目的とする。
【課題を解決するための手段】
【０００９】
本発明のデジタル放送受信装置は、映像データと字幕データが多重圧縮された放送波から、映像データと字幕データを分離するデータ分離部と、前記映像データをデコードする映像デコーダと、前記字幕データをデコードする字幕デコーダと、前記映像デコーダによりデコードした前記映像データと、前記字幕デコーダによりデコードした前記字幕データと、をそれぞれ記録する映像字幕データ記憶部と、前記映像字幕データ記憶部に記憶した前記映像データと前記字幕データを合成した画像を生成する画面合成部と、前記画面合成部により生成した画像を出力する表示部と、を備えることを特徴とする。
【００１０】
本発明のデジタル放送受信方法は、映像データと字幕データが多重圧縮された放送波から、映像データと字幕データを分離するステップと、前記映像データおよび前記字幕データをデコードするステップと、デコードした前記映像データとデコードした前記字幕データとをそれぞれ記録するステップと、記憶した前記映像データと前記字幕データを合成した画像を生成するステップと、生成した画像を出力するステップと、を有することを特徴とする。
【００１１】
この構成によれば、映像データと字幕データをそれぞれ別々に記録し、再生時に映像データと字幕データをごうせいすることによって、再生時の画像中における字幕の表示形式を容易に編集することができ、かつ、従来の画像処理により字幕を編集した場合よりも見栄え良く字幕を表示させることができる。
【００１２】
また、本発明のデジタル放送受信装置は、前記映像字幕データ記憶部が、前記映像データに含まれる第１の時刻情報と前記字幕データに含まれる第２の時刻情報とを参照して、同一時刻と判定される前記映像データと前記字幕データとを対応付けて、それぞれ記録し、前記画面合成部が、前記映像字幕データ記憶部に記憶した前記映像データと前記字幕データのうち、対応付けられた前記映像データと前記字幕データを合成した画像を生成する、ことを特徴とする。
【００１３】
この構成によれば、再生時の映像と字幕内容とが一致するため、視聴者は録画したデジタル放送を快適に視聴することができる。
【００１４】
また、本発明のデジタル放送受信装置は、前記映像字幕データ記憶部が、前記字幕データに含まれる第２の時刻情報により特定される時点を少なくとも含む期間内に、前記映像データに含まれる第１の時刻情報により特定される時点がある場合、前記映像デコーダによりデコードした前記映像データと、前記字幕デコーダによりデコードした前記字幕データと、をそれぞれ記録する、ことを特徴とする。
【００１５】
字幕が挿入された映像箇所は挿入されていない箇所よりも重要度が高いことが多く、録画した映像を後で視聴する際にその字幕が挿入された箇所のみを再生すれば、その映像が含まれる番組内容をほぼ理解することができる。この構成によれば、放送波に字幕データが含まれる期間内の映像データと字幕データを記録することにより、ある番組において重要度の高い映像箇所のみを録画するため、視聴者は録画したその番組の内容をおおまかに確認したいときに、その番組の最初から終わりまで全て再生する必要は無く、ポイントとなる映像のみで短時間にその番組の内容を確認することができる。さらに、その番組の最初から終わりまで全て録画する必要は無く、番組を録画するために要するデータ容量を大幅に減らすことができる。
【００１６】
また、本発明のデジタル放送受信装置は、前記映像字幕データ記憶部が、前記字幕データに文字情報が含まれていない場合、前記映像デコーダによりデコードした前記映像データのみを記録する、ことを特徴とする。
【００１７】
字幕データは、例えばワンセグ放送では、文字データで構成される字幕本文と、制御データで構成される字幕管理データと、によって形成される。字幕管理データは、字幕本文と字幕管理データをあわせて、最大１０秒程度の間隔で放送波により搬送される。この構成によれば、定期的に映像データを記録することにより、視聴者は録画したその番組の内容をおおまかに確認したいときに、その番組の最初から終わりまで全て再生する必要は無く、さらに、その番組の最初から終わりまで全て録画する必要は無く、番組を録画するために要するデータ容量を大幅に減らすことができる。
【００１８】
また、本発明のデジタル放送受信装置は、時間を計測するタイマを有し、前記タイマが、現在時刻と前記字幕データに含まれる第２の時刻情報により特定される時点とが一致したときに時間計測を開始し、前記映像字幕データ記憶部が、前記タイマによる時間計測が一定時間を越えた時点で、前記映像デコーダによりデコードした前記映像データと、前記字幕デコーダによりデコードした前記字幕データと、をそれぞれ記録する、ことを特徴とする。
【００１９】
また、本発明のデジタル放送受信装置は、時間を計測するタイマを有し、前記タイマが、前記字幕データを受信した時点から時間計測を開始し、前記映像字幕データ記憶部が、前記タイマによる時間計測が一定時間を越えた時点で、前記映像デコーダによりデコードした前記映像データと、前記字幕デコーダによりデコードした前記字幕データと、をそれぞれ記録する、ことを特徴とする。
【００２０】
この構成によれば、定期的に映像データを記録することにより、視聴者は録画したその番組の内容をおおまかに確認したいときに、その番組の最初から終わりまで全て再生する必要は無く、さらに、その番組の最初から終わりまで全て録画する必要は無く、番組を録画するために要するデータ容量を大幅に減らすことができる。
【００２１】
また、本発明のデジタル放送受信装置は、データをデータ圧縮するデータ圧縮部を備え、前記データ圧縮部が、前記映像デコーダによりデコードした前記映像データを少なくともデータ圧縮し、前記映像字幕データ記憶部が、前記データ圧縮部によりデータ圧縮した前記映像データと、前記データ圧縮部によりデータ圧縮したまたは前記字幕デコーダによりデコードした前記字幕データと、をそれぞれ記録する、ことを特徴とする。
【００２２】
この構成によれば、映像データを圧縮することにより、記録する映像データのデータ量を減らすことができる。
【発明の効果】
【００２３】
本発明は、映像データと字幕データを別々に記憶し、再生のため、映像データと字幕データを合成するとき、その別々に記憶されている映像データと字幕データをそれぞれ読み出して合成することにより、再生時に字幕の文字の大きさや文字配置を容易に変えることができると同時に記憶装置の容量を最も効率的に使うことができるという効果を有するデジタル放送受信装置を提供することができるものである。
【発明を実施するための最良の形態】
【００２４】
以下、本発明の実施形態のデジタル放送受信装置について、図面を用いて説明する。ここでは、ワンセグに本発明を適用した場合について、本発明の実施の形態を記述する。しかし、ＢＳデジタル放送やＣＳデジタル放送、モバイル放送や地上デジタル放送など、その他のデジタル放送に用いても構わない。
【００２５】
（第１の実施形態）
本発明の第１の実施形態のデジタル放送受信装置を図１に示す。
図１において、デジタル放送受信装置１は、デジタル放送波を受信するアンテナ２と、全体制御部１４から指定されるチャンネルを受信し復調するチューナー３と、復調されたデジタル放送波信号を音声符号化データ、映像符号化データ、字幕符号化データに分離するＤＥＭＵＸ４と、音声符号化データをデコードして音声表示時刻と音声データを得たのち、現在時刻と音声表示時刻が一致すると、音声データをスピーカー６へ送る音声デコーダ５と、デコードされた音声データを出力するスピーカー６と、映像符号化データをデコードして映像表示時刻と映像データを得たのち、現在時刻と映像表示時刻が一致すると、映像データを画面合成部９へ送る映像デコーダ７と、字幕符号化データをデコードして字幕表示時刻と字幕データを得たのち、現在時刻と字幕表示時刻が一致すると、字幕データを画面合成部９へ送るとともに、録画機能部１２に字幕データを出力したことを通知する字幕デコーダ８と、映像データと字幕データを合成し、合成画像を得る画面合成部９と、合成画像を出力するＬＣＤ１０と、経過時間を計測するタイマ１１と、映像データ及び字幕データを記憶する録画機能部１２と、録画した映像データと字幕データを再生する再生機能部１３と、デジタル放送受信装置１の各部の動作を制御する全体制御部１４と、視聴者からの入力を受け付け、その情報を全体制御部１４に送るキー入力部１５と、含む構成である。
【００２６】
録画機能部１２は、映像字幕データ取得部１２１と、画像圧縮部１２２と、映像字幕記憶部１２３とを有する構成である。
【００２７】
映像字幕データ取得部１２１は、映像デコーダ７から送られる映像データを一時記憶するバッファにより構成される。また、字幕デコーダ８から字幕データが送られてきた場合、その字幕データと、一時記憶した映像データのうち最新の映像データを画像圧縮部１２２に送るとともに、タイマ１１をセットする。また、映像字幕データ取得部１２１は、タイマ１１が所定の時間が経過した旨の通知を受けた場合も、一時記憶した映像データのうち最新の映像データと、任意の字幕データを画像圧縮部１２２に送るとともに、タイマ１１を再度セットする。ここで、任意の字幕データは、空白の文字だけの字幕データでもよいし、字幕管理データでもよいし、直前の字幕データと同じ内容の字幕データでもよい。なお、ワンセグでは、字幕本文に実際に表示される文字等が符号化されている。また、字幕管理データは、文字データがどんな言語か、ある言語の文字データが何種類送信されているか、または、言語の異なる文字データが何種類送信されているのか、などの制御データであり、言語種別、および言語数などの情報が符号化されており、実際に表示される文字等は符号化されていない。
【００２８】
画像圧縮部１２２は、映像字幕データ取得部１２１から送られる字幕データと映像データのうち、映像データを圧縮し、圧縮された画像（圧縮画像）と字幕データを映像字幕記憶部１２３に記憶する。なお、圧縮アルゴリズムとして、例えば、放送波で用いられる圧縮方式の１つであるＨ．２６４や、ＪＰＥＧ圧縮などが考えられる。なお、画像圧縮部１２２は、映像データのみを圧縮するように記載したが、字幕データに対しても圧縮処理を施しても良い。
【００２９】
映像字幕記憶部１２３は、画像圧縮部１２２から送られる圧縮画像、および、映像字幕データ取得部（あるいは画像圧縮部１２２）から送られる字幕データを記憶する。ここで、データを記憶する時、圧縮画像と字幕データは別々に、すなわち従来技術のように字幕データを画像中に埋め込むことはせずに、記憶する。
【００３０】
再生機能部１３は、履歴制御部１３１と、画像復号部１３２とを有する構成である。
【００３１】
履歴制御部１３１は、全体制御部１４から履歴の表示要求があった場合、映像字幕記憶部１２３に記憶される字幕データ、および圧縮画像を取得し、画像復号部１３２に送る。
【００３２】
画像復号部１３２は、履歴制御部１３１から送られる字幕データ、および圧縮画像のうち、圧縮画像を復号し、復号した映像データと字幕データを画面合成部９に送る。なお、画像圧縮部１２２による映像データの圧縮にＨ．２６４を用いれば、映像字幕記憶部１２３に記憶されるデータの復号に映像デコーダ７を使用することができるため、画像復号部１３２を用いないように構成することも可能である。
【００３３】
タイマ１１は、映像字幕データ取得部１２１の指示（映像字幕データ取得部１２１は、例えば視聴者が録画をするための操作をした時点にタイマ１１にカウント開始させ、その後、字幕データを取得した時点でカウントをリセットさせ再度カウントを開始させる）により時間の計測を開始し、所定の時間が経過すると、映像字幕データ取得部１２１に通知するものである。ここで、所定の時間は字幕符号化データの最大送出間隔である１０秒程度が望ましいが、これに制限するものではない。なお、タイマ１１は、所定の時間計時すると、映像字幕データ取得部１２１に通知後に、カウントをリセットして再度カウントを開始する。
【００３４】
キー入力部１５は、視聴者からの入力を受け付け、その情報を全体制御部１４に送るものであり、例えば、リモコンや携帯電話のキーなどである。
【００３５】
全体制御部１４は、キー入力部１５からの入力情報を受付け、その情報が「Ｘチャンネルを選局する」であれば、その情報をチューナー３に送る。また、その情報が「履歴を見る」「前の履歴を見る」「次の履歴を見る」などの履歴表示要求情報であれば、それらを履歴制御部１３１へ送る。
【００３６】
以上のように構成されたデジタル放送受信装置について、図２を用いてその動作を説明する。
【００３７】
まず、電源投入後、アンテナ２は放送波を受信し、チューナー３は所望のチャンネルを選局し、その選局されたチャンネルの受信信号を復調する（ステップＳ２０１）。ここで選局するチャンネルはなんでもよく、前回デジタル放送受信装置を終了させる前に選局していたチャンネルでもよいし、物理周波数の最も低いチャンネルでもよい。
【００３８】
その後、ＤＥＭＵＸ４は受信されたデータを音声符号化データ、映像符号化データ、字幕符号化データに分離し、音声符号化データを音声デコーダ５へ、映像データを映像デコーダ７へ、字幕符号化データを字幕デコーダ８へ送る（ステップＳ２０２）。
【００３９】
音声デコーダ５はデコードしていない音声符号化データがあれば、音声符号化データをデコードし、音声表示時刻と音声データを取得する。取得した音声表示時刻のうち、現在時刻に一致するものがあるか否かを判断し（ステップＳ２０３）、現在時刻に一致する音声表示時刻があると判定した場合、音声デコーダ５がその音声表示時刻に対応する音声データをスピーカー６へ出力し、スピーカー６が音声データを出力し（ステップＳ２０４）、ステップＳ２０５へ進む。
【００４０】
一方、ステップＳ２０３において、音声表示時刻と現在時刻は一致しないと判定した場合、音声を出力せず、映像デコーダ７はデコードしていない映像符号化データがあれば、映像符号化データをデコードし、映像表示時刻と映像データを取得する。取得した映像表示時刻のうち、現在時刻に一致するものがあるか否かを判断し（ステップＳ２０５）、現在時刻に一致する映像表示時刻があると判定した場合、映像デコーダ７がその映像表示時刻に対応する映像データを画面合成部９と映像字幕データ取得部１２１へ送り、映像字幕データ取得部１２１がその映像データを一時記憶する（ステップＳ２０６）。
【００４１】
一方、ステップＳ２０５において、映像表示時刻と現在時刻は一致しないと判定した場合、映像データを一時記憶しない。字幕デコーダ８は、デコードしていない字幕符号化データがあれば、字幕符号化データをデコードし、字幕表示時刻と字幕データを取得する。取得した字幕表示時刻のうち、現在時刻に一致するものがあるか否かを判断し（ステップＳ２０７）、現在時刻に一致する字幕表示時刻があると判定した場合、字幕デコーダ８がその字幕表示時刻に対応する字幕データを画面合成部９と映像字幕データ取得部１２１へ送出する。映像字幕データ取得部１２１は、一時記憶した映像データのうち最新の映像データを画像圧縮部１２２に送り、画像圧縮部１２２がその映像データを圧縮する（ステップＳ２０８）。ここの字幕データは、字幕本文（文字データ）と字幕管理データ（制御信号）とから成る。
【００４２】
その後、映像字幕記憶部１２３は、圧縮画像データと字幕データを記憶し（ステップＳ２０９）、映像字幕データ取得部１２１が、タイマ１１を動作させる（ステップＳ２１０）。なお、タイマ１１を動作させるステップＳ２１０の処理をステップＳ２０９の処理後に行うように記載したが、ステップＳ２０８の処理の前にタイマ１１を動作させておきその後ステップＳ２０８の処理を行うようにしてもよい。
【００４３】
映像字幕データ取得部１２１はタイマ１１が計時を開始してから所定の時間が経過したかを判断し（ステップＳ２１１）、タイマ１１が所定の時間計時したと判定した場合、映像字幕データ取得部１２１が、一時記憶した映像データのうち最新の映像データを画像圧縮部１２２に送り、画像圧縮部１２２がその映像データを圧縮し、映像字幕記憶部１２３は、圧縮画像データと字幕データを記憶し（ステップＳ２１２）、映像字幕データ取得部１２１が、タイマ１１をセットする（ステップＳ２１３）。なお、タイマ１１が計時を開始してから所定の時間が経過すると、映像字幕データ取得部１２１に所定の時間が経過したことを通知するが、映像字幕データ取得部１２１は、タイマ１１からのこの通知の有無により、所定の時間が経過したか否かを判断する。
【００４４】
一方、ステップＳ２１１において、タイマ１１が満了していないと判定した場合、すなわち、タイマ１１から所定の時間が経過した通知がない場合、圧縮画像データと字幕データを記憶せず、ステップＳ２１４に進む。
【００４５】
続いて、履歴制御部１３１が全体制御部１４からの履歴操作指示があるかを判断する（ステップＳ２１４）。ここで、視聴者が記録履歴を判別したいとき、キー入力部１５を用いて、履歴操作指示を入力し、全体制御部１４に送る。全体制御部１４がキー入力部１５からの履歴操作指示を受け取ると、履歴制御部１３１に履歴操作指示を出力する。
【００４６】
ステップＳ２１４において、履歴操作指示があったと判定した場合、履歴制御部１３１が映像字幕記憶部１２３から圧縮画像及び字幕データをそれぞれ読み出し（ステップＳ２１５）、画像復号部１３２が読み出された圧縮画像を復号する（ステップＳ２１６）。
【００４７】
画面合成部９が映像デコーダ７からの映像データ、または字幕デコーダ８から字幕データ、あるいは画像復号部１３２からの画像データと字幕データなどの表示データがあったかを判断し（ステップＳ２１７）、表示データがあったと判定した場合、画面合成部９が送られてきたそれぞれのデータを合成し、ＬＣＤ１０に出力する（ステップＳ２１８）。
【００４８】
図３は、本発明の第１の実施形態のデジタル放送受信装置による表示例を示す。本発明の第１の実施形態のデジタル放送受信装置は、画像データと字幕データとを別々に記録し、画像再生時にその画像データと字幕データとを合成する構成であるため、図３の表示例に示すように、画像サイズが変わったとき、その画像サイズによらず、字幕を適したサイズで表示することができる。
【００４９】
そして、全体制御部１４がチャンネル変更の指示があったかを判断し（ステップＳ２１９）、チャンネル変更の指示があったと判定した場合、ステップＳ２０１に戻り、変更されたチャンネルの信号を受信し、復調する。ここで、視聴者が視聴しているチャンネルを変えたいとき、キー入力部１５を用いて、これから視聴したいチャンネルのチャンネル指定情報を入力し、全体制御部１４に出力する。全体制御部１４がキー入力部１５からのチャンネル指定情報を受け取ると、チューナー３へ視聴者が指定したチャンネルを選局するよう指示する。
【００５０】
一方、ステップＳ２１９において、チャンネル変更の指示がなかったと判定した場合、全体制御部１４がキー入力部１５からの視聴終了指示があったかを判断し（ステップＳ２２０）、キー入力部１５からの視聴終了指示がなかったと判定した場合、ステップＳ２０２に戻り、受信されたデータを音声符号化データ、映像符号化データ、字幕符号化データに分離する。
【００５１】
一方、ステップＳ２１９において、チャンネル変更の指示があったと判定した場合、処理が終了する。
【００５２】
また、ステップＳ２１７において、表示データがなかったと判定した場合、ステップＳ２１８を実行せず、直ちにステップＳ２１９に進み、チャンネル変更の指示があったかを判断する。
【００５３】
このような本発明の第１の実施形態のデジタル放送受信装置によれば、映像データと字幕データを別々に記憶し、再生のため、映像データと字幕データを合成するとき、その別々に記憶されている映像データと字幕データをそれぞれ読み出して合成することにより、再生時に字幕の文字の大きさや文字配置を容易に変えることができ、出力する画面サイズが変わっても、適したサイズで履歴を表示することができる。また、記録した映像を圧縮するため、記録装置に記憶すべき記憶量を削減することができる。さらに、長い時間で字幕が送出されない場合でも、所定の間隔で映像を記録するにより、視聴者が記録履歴を判別することができると同時に記憶装置の容量を最も効率的に使うことができる。
【００５４】
（第２の実施形態）
本実施形態は、画像が複数枚ある場合、それを時系列順に一覧表示する例である。
本発明の第２の実施形態のデジタル放送受信装置４０の構成は、図１に示す第１の実施形態のデジタル放送受信装置１において、全体制御部１４の代わりに機能が異なる全体制御部４４を設け、履歴制御部１３１の代わりに履歴制御部４３１を設けたものである。なお、図１に示したデジタル放送受信装置１と同一の構成部には、同一の符号を付してその説明を省略する。
【００５５】
全体制御部４４は、キー入力部１５から複数枚の画像を表示するような操作指示を受け取ると、履歴制御部４３１に履歴操作指示を出力する。
【００５６】
履歴制御部４３１は、全体制御部４４から複数の履歴の表示要求があった場合、映像字幕記憶部１２３に記憶される字幕データ、および圧縮画像を時系列順に取得し、画像復号部１３２に送る。
【００５７】
以上のように構成されたデジタル放送受信装置４０について、図５を用いてその動作を説明する。
【００５８】
映像データ及び字幕データの記憶までの動作、すなわちステップＳ２０１〜２１３の手順は図２に示す第１の実施形態と同様であるので、説明を省略する。
【００５９】
映像データ及び字幕データを記憶した後、履歴制御部４３１が全体制御部４４からの複数画像表示指示があるかを判断する（ステップＳ５０１）。ここで、視聴者が記憶している複数枚の画像を同時に表示させたいとき、キー入力部１５を用いて、複数画像表示指示を入力し、全体制御部４４に送る。全体制御部４４がキー入力部１５からの複数画像表示指示を受け取ると、履歴制御部４３１に複数画像表示指示を出力する。
【００６０】
ステップＳ５０１において、複数画像表示指示があったと判定した場合、履歴制御部４３１が映像字幕記憶部１２３から圧縮画像及び字幕データを時系列順にそれぞれ読み出し（ステップＳ５０２）、画像復号部１３２が読み出された圧縮画像をそれぞれ復号する（ステップＳ５０３）。
【００６１】
画面合成部９が映像デコーダ７からの映像データ、または字幕デコーダ８から字幕データ、あるいは画像復号部１３２からの画像データと字幕データなどの表示データがあったかを判断し（ステップＳ５０４）、表示データがあったと判定した場合、画面合成部９が送られてきたそれぞれのデータを合成し、ＬＣＤ１０に出力し、表示する（ステップＳ５０５）。
【００６２】
図６は、本発明の第２の実施形態のデジタル放送受信装置による表示例を示す。図６に示すように、複数の履歴映像及び履歴字幕は時系列順に表示されている。
【００６３】
一方、ステップＳ５０４において、表示データがなかったと判定した場合、直ちにステップＳ５０６に進む。
【００６４】
続いて、履歴制御部４３１が全体制御部４４からのスクロール表示指示があるかを判断する（ステップＳ５０６）。ここで、視聴者が表示をスクロールしたい、キー入力部１５を用いて、上スクロール或いは下スクロール指示を入力し、全体制御部４４に送る。全体制御部４４がキー入力部１５からのスクロール表示指示を受け取ると、履歴制御部４３１にスクロール表示指示を出力する。
【００６５】
ステップＳ５０６において、スクロール表示指示があったと判定した場合、履歴制御部４３１が上スクロールか下スクロールかによって、映像字幕記憶部１２３から時間的に前の圧縮画像及び字幕データあるいは次の圧縮画像及び字幕データそれぞれ読み出し、画像復号部１３２が読み出された圧縮画像を復号し、画面合成部９が送られてきたそれぞれのデータを合成し、ＬＣＤ１０に出力し、表示する（ステップＳ５０７）。
【００６６】
図７は、スクロール時の表示例を示す。この図７に示すように、スクロール表示指示があった場合、その指示に従って、上スクロール或いは下スクロールして履歴を表示する。
【００６７】
その後の動作、すなわち、ステップＳ２１９〜２２０の手順は図２に示す第１の実施形態と同様であるので、説明を省略する。
【００６８】
また、ステップＳ５０６において、スクロール表示指示がなかったと判定した場合、直ちにステップＳ２１９に進む。
【００６９】
このような本発明の第２の実施形態のデジタル放送受信装置によれば、画像が複数枚ある場合、それを時系列順に一覧表示し、視聴者からのスクロール表示指示があった場合、その指示に従って、スクロールして表示することにより、視聴者が同時に複数の記録履歴を判別することができる。
【００７０】
なお、以上の説明では、それぞれ音声表示時刻、映像表示時刻、字幕表示時刻が現在時刻と一致したときに、それぞれ音声出力、映像データの一時記憶、映像データの圧縮を行なう例を説明したが、それぞれの表示時刻が現在時刻を過ぎているときに行なうようにしてもよい。これによって、他の処理を行なっていたため、現在時刻が表示時刻を過ぎてしまった場合でも、それぞれ音声出力、映像データの一時記憶、映像データの圧縮を行なうことができる。
【００７１】
また、以上の説明では、映像字幕データ取得部が、字幕データと直前に送られた映像データを画像圧縮部へ送る例を説明したが、映像字幕データ取得部は字幕データを一時記憶し、その直後に送られる映像データを、その字幕データとともに画像圧縮部に送るようにしてもよい。一般に映像データのデータ量は字幕データのデータ量よりも大きいため、これにより映像字幕データ取得部が記憶すべきデータ量を削減することができる。
【００７２】
また、以上の説明では、映像字幕データ取得部が、字幕データと直前に送られた映像データを画像圧縮部へ送る例を説明したが、映像字幕データ取得部は字幕デコーダから送られる字幕データを一時記憶するとともに、入力される映像データ、および、字幕データの入力時刻を記憶し、ある字幕データに対して、字幕データの入力時刻と映像データの入力時刻の差分が最も小さな映像データを画像圧縮部に送るようにしてもよい。これにより、ある字幕に対してより適切な映像を結びつけることができる。
【００７３】
さらに、以上の説明では、映像字幕データ取得部が、字幕デコーダから字幕データが送られた際に、必ず一時記憶する映像データのうち最新の映像データを画像圧縮部に送る例を説明したが、映像字幕データ取得部がこの字幕データを解析し、字幕管理データの場合は画像圧縮部に字幕データも映像データも送らないようにしてもよい。これにより、表示する文字のない字幕データについては映像を記録しないようにし、記憶装置の容量を最も効率的に使うことができる。
【００７４】
また、映像字幕記憶部１２３に記憶する際、字幕データとの差分が最も小さなＩピクチャやＩＤＲピクチャ（一画像内で符号化されたデータ）を記憶することで、画像圧縮部１２２を用いない構成により本発明のデジタル放送受信装置を実現することができる。
【００７５】
また、以上の説明では、合成画像の出力手段としてＬＣＤを使う例を説明したが、本発明はこれに制限されるものではなく、有機ＥＬやＣＲＣなどでもよい。
【産業上の利用可能性】
【００７６】
以上のように、本発明にかかるデジタル放送受信装置は、再生時に字幕の文字の大きさや文字配置を容易に変えることができると同時に記憶装置の容量を最も効率的に使うことができるという効果を有し、映像データと字幕データが別々に送信されるデジタル放送を受信するデジタル放送受信装置等として有用である。
【図面の簡単な説明】
【００７７】
【図１】本発明の第１の実施形態のデジタル放送受信装置の構成を示す図
【図２】本発明の第１の実施形態のデジタル放送受信装置の動作説明のためのフローチャート図
【図３】本発明の第１の実施形態の表示例を示す図
【図４】本発明の第２の実施形態のデジタル放送受信装置の構成を示す図
【図５】本発明の第２の実施形態のデジタル放送受信装置の動作説明のためのフローチャート図
【図６】本発明の第２の実施形態の表示例を示す図
【図７】スクロール時の表示例を示す図
【図８】従来のデジタル放送受信装置の構成図である
【図９】従来の表示例を示す図
【符号の説明】
【００７８】
１、４０  デジタル放送受信装置
２  アンテナ
３  チューナー
４  ＤＥＭＵＸ
５  音声デコーダ
６  スピーカー
７  映像デコーダ
８  字幕デコーダ
９  画面合成部
１０  ＬＣＤ
１１  タイマ
１２  録画機能部
１３  再生機能部
１４、４４  全体制御部
１５  キー入力部
１２１  映像字幕データ取得部
１２２  画像圧縮部
１２３  映像字幕記憶部
１３１、４３１  履歴制御部
１３２  画像復号部
【図１】
2008053991.tif 000003
【図２】
2008053991.tif 000004
【図３】
2008053991.tif 000005
【図４】
2008053991.tif 000006
【図５】
2008053991.tif 000007
【図６】
2008053991.tif 000008
【図７】
2008053991.tif 000009
【図８】
2008053991.tif 000010
【図９】
2008053991.tif 000011